(57)【要約】      （修正有）【課題】送液速度を上げることができ、また流路が複雑な形状にあっても送達位置まで的確に送液できる、安価で簡便な吸液誘導装置及びそれに使用する吸液誘導シートを提供する。【解決手段】液体Ｌを誘導する基材シートを例えばラミネート加工し、吸液誘導シートを作製する。吸液誘導シートに含まれる基材シートの経路に沿って、毛細管現象により液体の誘導が行なわれる。このとき、吸液誘導シートに、液体を誘導しつつ浸透させる吸液誘導装置を付加し、吸引する。【選択図】図２
2016105042.tif 000002
【特許請求の範囲】
【請求項１】
毛細管現象によって吸液可能な基材シートに液体を誘導しつつ浸透させる吸液誘導装置であって、
前記基材シートの少なくとも一個所に液体供給領域が形成され、該基材シートの少なくとも一個所に吸引領域が形成されるとともに、前記液体供給領域および吸引領域を除く該基材シートの全体が気密的に包囲されてなる吸液誘導シートと、
前記吸液誘導シートの液体供給領域に設けられ、該液体供給領域に液体を供給するための液体供給部と、
前記吸液誘導シートの吸引領域に設けられ、該吸液誘導シート内部を陰圧にするための吸引部と
を備えることを特徴とする吸液誘導装置。
【請求項２】
前記液体供給領域および吸引領域は、前記基材シートに貫設された貫通孔の内側周縁であり、
前記液体供給部は、前記貫通孔に連通する第１の連通部を有し、該貫通孔の周辺に水密的に装着されたものであり、
前記吸引部は、前記貫通孔に連通する第２の連通部を有し、該貫通孔の周辺に気密的に装着されたものであることを特徴とする請求項１に記載の吸液誘導装置。
【請求項３】
前記液体供給部は、前記吸液誘導シートの一方表面において前記液体供給領域を水密的に閉鎖する第１の基部と、前記吸液誘導シートの他方表面において前記第１の連通部を形成する連通部構成部材とで構成されており、
前記吸引部は、前記吸液誘導シートの一方表面において前記吸引領域を気密的に閉鎖する第２の基部と、前記吸液誘導シートの他方表面において前記第２の連通部を形成する第２の連通部構成部材とで構成されている
ことを特徴とする請求項２に記載の吸液誘導装置。
【請求項４】
前記第１の連通部には、供給すべき液体を貯留することができる液体貯留部が形成されていることを特徴とする請求項２又は３に記載の吸液誘導装置。
【請求項５】
前記第２の連通部には、陰圧を発生させるための吸引装置を接続する接続手段が形成されていることを特徴とする請求項２〜４のいずれかに記載の吸液誘導装置。
【請求項６】
前記第１の連通部には、液体を送液するためのチューブ状の送液部が設けられ、前記第２の連通部には、吸引装置による吸引力を伝達するためのチューブ状の伝達部が設けられていることを特徴とする請求項２又は３のいずれかに記載の吸液誘導装置。
【請求項７】
請求項１〜６のいずれかに記載の吸液誘導装置に使用される吸液誘導シートであって、
毛細管現象によって吸液可能に設けられたシート状の基材シートと、該基材シートの周縁を含む全体を包囲するラミネート材と、前記基材シートおよびラミネート材を一連に貫通する複数の貫通孔とを備え、前記複数の貫通孔の各内側周縁が前記ラミネート材から露出することにより、少なくとも一つの貫通孔の内側周縁により吸引領域を形成し、その他の貫通孔の内側周縁により液体供給領域を形成してなることを特徴とする吸液誘導シート。
【請求項８】
前記吸引領域を形成する貫通孔と、前記液体供給領域を形成する貫通孔との間には、液体を誘導すべき所定長の流路が形成されていることを特徴とする請求項７に記載の吸液誘導シート。
【請求項９】
前記基材シートは、多孔質材料によって構成される基材層と、その両面を被覆するように積層された積層シートとで構成されていることを特徴とする請求項７又は８に記載の吸液誘導シート。
【発明の詳細な説明】
【技術分野】
【０００１】
本発明は、液体試料を送液するための装置と、その際に用いるシートに関する。
【背景技術】
【０００２】
バイオ技術やヘルスケア等の種々の分野において、簡便に分析、検査、混合等を行うためにマイクロ流路が用いられている。周知のとおり、吸液誘導をする基材シートとして 紙、樹脂系材料、ガラス繊維、布、そしてその複合材等が一般に用いられている。周知技術と異なる構成としては、例えば、導入用液体を予め流路に充満させる方法（特許文献１）、流路下流端で吸引させる方法（特許文献２）および力変動機構により、吸引力を強化または緩和させる方法（特許文献３）がある。
【０００３】
特許文献１には導入口において試料液体を導入用液体に接触させ、吐出口から導入用液体を排出することで試料液体を流路中に導入する方法が開示され、その方法を実施するためのマイクロ流路素子として、流路となる溝部を有する部材の表面にカバーを貼付する構成が例示されている。その溝部の断面は幅及び高さがそれぞれ数μｍ〜数ｍｍとすることが好ましいとされている。しかしながら、このような微細な流路を形成することは容易でなく、精密な加工によって処理されるため、安価に製造されるものではなかった。
【０００４】
特許文献２に開示される発明は、血液成分測定に特化した技術であり、同文献には、ガラス繊維不織布と多孔性フィルタとを積層した血球分離フィルタを備える構成が開示されているが、この積層物（血球分離フィルタ）は、流路の途中において前処理として血球を分離するためのものであって、多孔性フィルタによって血液等の液体を吸引する構成ではなかった。
【０００５】
また、上記に示した２つの特許文献は、流路が１本に連続する構成であり、分岐する流路を吸液させる構成については考慮されていなかった。そのため、流路の途中または流路末端近傍において複数の液体を混合させる等の使用方法については全く開示されていない。
【０００６】
特許文献３には、流路が分岐することを前提する技術が記載されており、力変更機構として機能するポンプ等が流路に連続する状態で設けられる構成が開示されている。しかしながら、流路チップはウェットエッチング／ドライエッチング、金型、機械加工等により形成されることから、高度な加工技術を要することが想定されるものであった。
【先行技術文献】
【特許文献】
【０００７】
【特許文献１】特開２００４−１９１２５６号公報
【特許文献２】特許第４３２８５４６号公報
【特許文献３】特開２０１３−２１０３３６号公報
【発明の概要】
【発明が解決しようとする課題】
【０００８】
前記のとおり、周知の吸液装置は、紙、樹脂系材料、ガラス繊維、布、そしてその複合材等を用いて形成された基材シートに吸液誘導を行う場合、液体の誘導は毛細管現象を利用するため、液体が基材シートの途中で止まることがある。このようなことから基材シートの誘導経路の長さが制限され、また形状を複雑にできない等の課題がある。また、特許文献１及び２は、流路を分岐させる構成ではなく、複雑な形状の流路を形成できないという課題があり、特許文献２及び３の装置を製造するためには高度度技術を要し、安価に製造できないという課題があった。
【課題を解決するための手段】
【０００９】
液体を誘導する基材シートを例えばラミネート加工し、吸液誘導シートを作製する。吸液誘導シートに含まれる基材シートの経路に沿って、毛細管現象により液体の誘導が行われる。このとき、吸液誘導シートに、液体を誘導しつつ浸透させる吸液誘導装置を付加し、吸引することにより、吸液誘導のための基材シートの上記課題を解決する。
【００１０】
このため、請求項１記載の吸液誘導装置は、毛細管現象によって吸液可能な基材シートに液体を誘導しつつ浸透させる装置であって、前記基材シートの少なくとも一個所に液体供給領域が形成され、該基材シートの少なくとも一個所に吸引領域が形成されるとともに、前記液体供給領域および吸引領域を除く該基材シートの全体が気密的に包囲されてなる吸液誘導シートと、前記吸液誘導シートの液体供給領域に設けられ、該液体供給領域に液体を供給するための液体供給部と、前記吸液誘導シートの吸引領域に設けられ、該吸液誘導シート内部を陰圧にするための吸引部とを備える。
【００１１】
請求項２記載の吸液誘導装置は、請求項１に記載の吸液誘導装置において、前記液体供給領域および吸引領域は、前記基材シートに貫設された貫通孔の内側周縁であり、前記液体供給部は、前記貫通孔に連通する第１の連通部を有し、該貫通孔の周辺に水密的に装着されたものであり、前記吸引部は、前記貫通孔に連通する第２の連通部を有し、該貫通孔の周辺に気密的に装着されたものである。
【００１２】
請求項３記載の吸液誘導装置は、請求項２に記載の吸液誘導装置において、前記液体供給部は、前記吸液誘導シートの一方表面において前記液体供給領域を水密的に閉鎖する第１の基部と、前記吸液誘導シートの他方表面において前記第１の連通部を形成する連通部構成部材とで構成されており、前記吸引部は、前記吸液誘導シートの一方表面において前記吸引領域を気密的に閉鎖する第２の基部と、前記吸液誘導シートの他方表面において前記第２の連通部を形成する第２の連通部構成部材とで構成されている。
【００１３】
請求項４記載の吸液誘導装置は、請求項２又は３に記載の吸液誘導装置において、前記第１の連通部には、供給すべき液体を貯留することができる液体貯留部が形成されている。
【００１４】
請求項５記載の吸液誘導装置は、請求項２〜４のいずれかに記載の吸液誘導装置において、前記第２の連通部には、陰圧を発生させるための吸引装置を接続する接続手段が形成されている。
【００１５】
請求項６記載の吸液誘導装置は、請求項２又は３のいずれかに記載の吸液誘導装置において、前記第１の連通部には、液体を送液するためのチューブ状の送液部が設けられ、前記第２の連通部には、吸引装置による吸引力を伝達するためのチューブ状の伝達部が設けられている。
【００１６】
請求項７記載の吸液誘導シートは、請求項１〜６のいずれかに記載の吸液誘導装置に使用されるものであって、毛細管現象によって吸液可能に設けられたシート状の基材シートと、該基材シートの周縁を含む全体を包囲するラミネート材と、前記基材シートおよびラミネート材を一連に貫通する複数の貫通孔とを備え、前記複数の貫通孔の各内側周縁が前記ラミネート材から露出することにより、少なくとも一つの貫通孔の内側周縁により吸引領域を形成し、その他の貫通孔の内側周縁により液体供給領域を形成してなるものである。
【００１７】
請求項８記載の吸液誘導シートは、請求項７に記載の吸液誘導シートにおいて、前記吸引領域を形成する貫通孔と、前記液体供給領域を形成する貫通孔との間には、液体を誘導すべき所定長の流路が形成されている。
【００１８】
請求項９記載の吸液誘導シートは、請求項７又は８に記載の吸液誘導シートにおいて、前記基材シートは、多孔質材料によって構成される基材層と、その両面を被覆するように積層された積層シートとで構成されている。
【発明の効果】
【００１９】
本発明によれば、基材シートとして、紙、樹脂系材料、ガラス繊維、布、そしてその複合材等を用い、例えばマイクロ流路デバイスにおいて、送液速度を上げることができ、また流路どうしが交差する複雑な流路の使用を可能にする。また、本発明の吸液誘導シートは、基材シートを包囲することによって構成されることから、基材シートが流路として機能することとなり、基材シートをカッター等の切断装置によって切断することにより、容易に任意な形状の流路を構成することができる。液体供給領域及び吸引領域を貫通孔によって構成する場合には穿孔機等によって容易に加工することができる。
【図面の簡単な説明】
【００２０】
【図１】本発明の一実施形態である吸液誘導シートおよび吸液誘導装置の概略構成例を示す説明図。
【図２】吸引例の模式図。
【図３】Ａは吸引の有無における経過時間に応じた吸液誘導シートの状態を示す図、Ｂは吸引の有無における経過時間と液移動距離との関係を示すグラフ。
【図４】基材シートの形状例と液体の混合の模式図
【図５】図４に示した基材シートでの混合状況を示した図。
【発明を実施するための形態】
【００２１】
以下、本発明の実施の形態を図面に基づいて説明する。まず、吸液誘導装置１０について図１により説明する。本実施形態の吸液誘導装置１０は、図１（Ａ）に示すように、基材シート１の全体をラミネート材２によって包囲することによって形成される吸液誘導シート３と、この吸液誘導シート３の液体供給領域１ａ及び吸引領域１ｂに連続する供給部４および吸引部５とで構成されるものである。
【００２２】
基材シート１は、その詳細を図示していないが、複数のシート材からなる多層構造によって構成されており、多孔質材料によって構成された薄膜状の基材層と、その両面に積層された積層シートとで構成されている。基材層は、多孔質であり、毛細管現象により吸液可能であり、積層シートは、基材層の両面を水密的に閉鎖するものである。従って、基材シート１の両面から液体を吸引し、又は液体を流出させるものではなく、積層シートの端縁において、基材層が被覆されていない領域から液体を吸引し、又は流出させることができるものである。
【００２３】
そこで、基材層（多孔質材料）に対して液体の吸引又は流出を可能にするために、液体供給領域１ａと、吸引領域１ｂとを形成している。この液体供給領域１ａおよび吸引領域１ｂは、例えば、図１（Ａ）に示すように、基材シート１を貫通する貫通孔によって形成することができる。貫設された貫通孔１ａ，１ｂの内側周縁は、積層シートが切断され、その中間に積層されている基材層の端縁が被覆されない（露出する）状態となるため、液体の吸収又は流出を可能にするのである。なお、図１（Ａ）では、液体供給領域１ａ及び吸引領域１ｂは、各１個のみ設けているが、これらは用途に応じて、いずれか又は双方について複数設ける構成としてもよい。また、基材シート１の全体形状（輪郭形状）は、カッティングマシン等で所定形状に切断することにより、所望の長さ及び幅とすることができる。このような輪郭形成により、その周縁においても基材層は被覆されていない（露出している）ことから、後述のラミネート材によって、周縁が被覆されるのである。
【００２４】
ラミネート材２は、基材シート１の表面側と裏面側とに各１枚積層されるものであり、両面ともに１枚のラミネート材２によって基材シート１の各面が全体的に覆われるようにしている。すなわち、ラミネート材２は基材シート１の輪郭を超える大きさのものが使用され、基材シート１が存在しない周辺部分は直接２枚のラミネート材２が当接（積層）する状態となるのである。そして、両面のラミネート材２をラミネータ等で加熱することにより、２枚のラミネート材２が直接積層される部分を溶着させて、基材シート１の全体をラミネート材２によって包囲させるのである。このとき、ラミネート材２の溶着を気密的な状態とすることにより、後述する吸引力を基材シート１にのみ作用させることができる。なお、ラミネート材２には、予め（又は溶着後）に貫通孔２ａ，２ｂ，２ｃ，２ｄが穿設され、基材シート１の液体供給領域１ａ及び吸引領域１ｂを包囲させずに、露出させた状態とするのである。このように構成された状態が吸液誘導シート３である。
【００２５】
本実施形態では、図１（Ａ）に示すように、２枚のラミネート材２を基材シート１の両面に積層しているが、１枚の袋状としたラミネート材によって基材シート１を包囲させてもよい。また、２枚のラミネート材２には、それぞれ貫通孔２ａ，２ｂ，２ｃ，２ｄを穿設しているが、後述するように、液体供給部４及び吸引部５がいずれか一方の側においてのみ構成される場合には、他方のラミネート材２に貫通孔を設けない構成としてもよい。また、貫通口２ｃ、２ｄは省略してもよい。
【００２６】
本実施形態の基材シート１に使用される基材層の材質としては紙、樹脂系材料、ガラス繊維、布、そしてその複合材等でが用いられる。樹脂の場合、例えばセルロース混合エステル、ポリエーテルスルホン、ポリビニリデンフロライド、ポリテトラフルオロエチレン、ポリカーボネート、ポリテトラフルオロエチレン等が挙げられる。積層シートとしては、例えば、ポリプロピレン等の樹脂製シートを使用することができ、ラミネート材２としては、例えば、ＰＥＴによる薄膜シートを使用することができる。
【００２７】
尚、本実施形態においては、吸液誘導シート３は、基材シート１をラミネート材２で包囲した作製されたが、これに代えて、硬化性樹脂材料を塗布することやパテなどを用いて基材シート１を包囲して作製しても良い。
【００２８】
上記のように構成された吸液誘導シート３には、さらに液体供給部４及び吸引部５が設けられ、全体として吸液誘導装置が構成される。吸液供給部４は、前記基材シート１の液体供給領域１ａに連通する連通部（第１の連通部）４ａを有するものであり、この吸液供給部４が、水密的に液体誘導シート３に装着されることにより、連通部４ａに供給される液体が、液体供給領域１ａから基材シート１に浸透され得る状態となる。なお、液体供給部４の連通孔４ａが適度な容積を有する場合には、当該連通孔４ａが液体貯留部として機能することができる。すなわち、この連通孔（液体貯留部）４ａに供給すべき液体を充填し、所望の液量を予め貯留させるように使用し得るのである。他方、吸引部５は、基材シート１の吸引領域１ｂに連通する連通部（第２の連通部）５ａを有しており、この吸引部５が液体誘導シート３に気密的に装着されることにより、吸引部５から付与される吸引力を基材シート１に作用させ得る。
【００２９】
ところで、前述のように、液体誘導シート３を構成するラミネート材２が、両面において貫通孔２ａ，２ｂ，２ｃ，２ｄを有する場合、液体供給部４及び吸引部５が装着されない側のラミネート材２の貫通孔（図１（Ａ）では貫通孔２ｃ，２ｄ）は開口した状態となる。そこで、この開口（貫通孔）２ｃ，２ｄには、液体供給部４及び吸引部５が装着される側とは反対の側に、それぞれ基部６を装着することにより閉鎖することができる。基部６は、図１（Ａ）に示すように、それぞれ個別に（第１の基部及び第２の基部に分けて）装着することができるが、単一の部材によって両開口２ｃ，２ｄを同時に閉鎖してもよい。基部６を個別に設ける場合は、液体供給部４と一対をなす第１の基部６と、吸引部５と一対をなす第２の基部６とに区別され、第１の基部６は、水密的な状態で装着されてよいが、第２の基部６は、気密的な状態で装着されるものである。なお、水密的とは、液体が通過しない程度の緊密な状態を意味し、気密的とは、気体が通過しない程度の緊密な状態を意味する。
【００３０】
上記のような構成により、吸液誘導シート３（基材シート１の基材層）の内部空気を吸引部５から吸引することにより、当該内部を陰圧にすることが可能となる。そして、基材シート１の液体供給領域１ａに陰圧（吸引力）が作用することにより、液体吸引部４に供給される液体に対し吸引力を伝達することができるのである。この吸引力により、液体供給部４の液体が吸引され、基材シート１の毛細管現象と相俟って、液体が基材シート１に沿って誘導されることとなるのである。ここで、基材シート１の液体供給領域１ａは、液体供給部４および基部６との間で水密的な状態であるが、当該液体供給領域１ａに液体が供給されることにより、気密性が向上するため、陰圧力（吸引力）が減殺されないものとなるのである。
【００３１】
上記実施形態においては、液体供給部４の連通部４ａを液体貯留部として機能させることも可能であるが、図１（Ｂ）に示すように、この連通部（第１の連通部）４ａに液体を送液するための送液部２０を設ける構成としてもよい。この送液部２０はチューブ状とし、貯液容器から液体供給部４までを水密的に連続させることにより、大量の液体を供給することが可能となる。また、吸引部５の連通部（第２の連通部）５ａには、吸引装置に連続されるチューブ２１を設ける構成としてもよい。吸引装置としては、手動で操作する際にはシリンジを使用し、自動の場合はポンプを使用することができる。そして、シリンジを使用する場合には、その先端を直接第２の連通部５ａに装着させるように構成してもよい。送液部２０、チューブ２１を設けた吸引装置による吸引例は後述する図２にて模式的に示す。
【００３２】
また、吸引部５の上面から上方に向かって、第２の連通部に連設する中空の円筒部を突設してもよい。これによれば、かかる円筒部にチューブ２１の一端を外嵌し、チューブ２１の他端にシリンジ等の吸引装置を取り付ければ安定に吸引動作を行うことができる。尚、かかる場合の円筒部は、請求項に記載の接続手段の一例に該当する。
【００３３】
本実施形態は、上記のとおりであるから、基材層と積層シートとを積層した基材シート１を設けており、この基材シート１の状態で周辺を切断することにより、所望の形状を容易に形成することができる。また、液体供給領域１ａ及び吸引領域１ｂは、基材シート１の状態で穿設してもよいが、ラミネート材２によって全体を包囲した後、当該ラミネート材２とともに基材シート１に穿設することにより、吸液誘導シート３を容易に製造することができるものである。そして、基材シート１は任意の形状に切断して設けることができることから、その長さ、幅、形状等を適宜変更できる。なお、本実施形態では、吸引部５から内部空気を吸引し、内部を陰圧とすることを前提としているが、液体が導入される液体供給部から空気等により圧力をかけることによって、内部を陽圧状態して、液体を押し出すように誘導させることによっても同様の効果を発揮させることが出来る。
【実施例】
【００３４】
＜吸液誘導シートの作製＞
膜厚が約150 μｍのセルロース混合エステル製のろ紙（MF-Millipore、 GSWP04700、 Merck KGaA）一枚をラミネータ（Jet-lami α、 KLM-NWU324、 KOKUYO S&T Co., Ltd.）を用いてトータル厚さ100 μｍのラミネートフィルム（Clear laminating film、 MSP-F6095N、 KOKUYO S&T Co., Ltd.）で被覆し、カッティングマシン（Craft ROBO Pro、 CE5000-40-CRP、 GRAPHTEC Corp.）にて所望の形状に切り出し、基材シートを作製した。切り出しの際はカッティング用の台紙（CR09307、 GRAPHTEC Corp.）を利用した。切り出した基材シートを再度ラミネートし、PDMS（SILPOT 184、 DOW CORNING TORAY Co., Ltd.）にて内包後、液体供給部および吸引部の孔を設け、ガラス板と接合した。最後にシリンジを用いて吸引し、試料液の強制送液を行った。
【００３５】
＜吸引による送液試験＞
吸引部からの吸引試験を行った。長さ３５mm、厚さ１５０μmの短冊状の吸液誘導シートを用いた。外径3 mm の吸引部に、シリコンゴム製チューブを挿入した。さらに シリコンゴム製チューブに50 mL シリンジを接続し、吸引した。その模式図を図２に示す。図２は、第１実施形態の吸液装置１０においてチューブ状の送液部２０と伝達部となるチューブ２１とを設けたものと同様の装置を用いた場合の吸引例であり、図２中の符号Ｌは供給する液体を示し、３０はシリンジを示している。
【００３６】
強制的な吸引操作でも、ラミネートフィルムとPDMS の間隙に液が流入せず、ろ紙内を「吸引なし」の場合に比べて速く液が進むことが確認できた（図３（Ａ））。図３（Ａ）の結果を整理したのが図３（Ｂ）である。ラミネート処理により、ろ紙内部への硬化前のPDMS の流入を防止でき、厚みのあるPDMS で内包することでチューブの接続も実現できた。
【００３７】
＜試料液混合試験＞
図４に示すように、流路を分岐させるように作製した吸液誘導シートについて、色彩の異なる試料液を接触させ、吸引および毛細管現象により水溶液を吸液誘導シートに展開した。図４の下部が液体供給側（図４の吸液誘導シートでは２つの突起で形成）であり、破線矢印にて示した方向から、液体が供給される。また、図４の上部が吸引側（図４の吸液誘導シートでは液体供給側と反対に形成された４つの突起）である。二液を吸液誘導シート内で混合させるために基材シートの形状は流路幅約1 mmで、分岐を有している。それぞれの試料液は分岐点で混合される。吸引を行うことで試料液が移送され、図４（Ａ）、図４（Ｂ）、図４（Ｃ）に示す順に吸液誘導シートが変化する様子が観察された。なおここでの試料液としては、赤い食用色素（食品添加物着色料製剤赤色  共立食品株式会社IS）および青い食用色素（食品添加物着色料製剤青色  共立食品株式会社IS）の50%エタノール水溶液を用い、赤い試料液を左側の液体供給側で接触させ、青い試料液を右側の液体供給側で接触させた。
【００３８】
＜混合比評価試験＞
混合比を評価するため、混合した箇所（図４の吸液誘導シート上部側４か所の突起部分イ，ロ，ハ，ニ）を切り出した吸液誘導シートを所定の量の純水につけて色素を抽出し、抽出試料とした。抽出試料をの色素を分光光度計（NanoPhotomete、 P 300、 Implen GmbH）にて、波長500 nmおよび628 nmの吸光度を計測した。この吸光度の相対比から混合比を算出した。その結果を図５に示す。図５中のイ〜ニは、吸液誘導シート突起部分イ，ロ，ハ，ニの抽出結果に対応しており、各突起部分における赤い試料液の比率を左側の棒グラフに示し、青い試料液の比率を右側の棒グラフにて示している。この結果によれば、異なる試料液をそれぞれの混合比率を調整することが可能であり、流路の分岐状態により、複数の液体を適宜な比率で混合させることができる。
【００３９】
図４で示したように、吸液誘導シートの用途によって種々の形状が可能である。従って、本発明は本実施例に限定されるものではない。
【００４０】
以上のように、本発明に係る液体供給部に導入された液体は、毛細管力及び吸引力により流路に誘導され、所定の位置へ送液される。その送液速度は、吸引をポンプ等により行えばポンプの能力を制御するによって調節できる。
【００４１】
吸液誘導シートは焼却が可能であり、消耗品として無害化が容易である。さらに、基材の材質によっては、非常に低コストである。
【００４２】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１  基材シート
１ａ  液体供給領域（貫通孔）
１ｂ  吸引領域（貫通孔）
２  ラミネート材
２ａ，２ｂ，２ｃ，２ｄ  貫通孔
３  吸液誘導シート
４  液体供給部
４ａ  （第１の）連通部
５  吸引部
５ａ  （第２の）連通部
６  基部
１０  吸液誘導装置
２０  送液部
２１  伝達部
３０  シリンジ
Ｌ  液体
【図１】
2016105042.tif 000003
【図２】
2016105042.tif 000004
【図３】
2016105042.tif 000005
【図４】
2016105042.tif 000006
【図５】
2016105042.tif 000007